(57)【要約】【課題】ワンタッチ復帰する二段階停止型ステー装置を提供する。【解決手段】ウィング体に固定されるガイドレールと、基端部が固定枠体に枢着されるアームと、アームの先端部に設けられ、ガイドレールのガイド溝に嵌められる可動ピンと、可動ピンに嵌められ、ガイド溝の溝幅寸法よりも外周直径が大きいロックリングとからなる。ガイドレールには、ガイド溝の一側縁部の内面が接線となるように中心が溝中心線上より偏位し、ガイド溝の他側縁部を一部切り欠くように形成された第１のストッパー円弧部をガイド溝の途中に設けるとともに、中心が溝中心線上に在る第２のストッパー円弧部をウィング体の開閉軸寄りのガイド溝端部に設ける。バネ部材によりアームをガイドレール側に引き寄せてロックリングをガイド溝の両側の縁部に当接させ、ウィング体の開放時にロックリングをいずれかのストッパー円弧部に係合させる。【選択図】図７
2010265706.tif 000002
【特許請求の範囲】
【請求項１】
ウィング体に固定されるガイドレールと、基端部が固定枠体に枢着されるアームと、前記アームの先端部に設けられ、前記ガイドレールのガイド溝に嵌められる可動ピンと、前記可動ピンに嵌められ、前記ガイド溝の溝幅寸法よりも外周直径が大きいロックリングとからなり、前記ガイドレールには、前記ガイド溝の一側縁部の内面が接線となるように中心が溝中心線上より偏位して、ガイド溝の他側縁部を一部切り欠くように形成された第１のストッパー円弧部を前記ガイド溝の途中に設けてあるとともに、中心が溝中心線上に在る第２のストッパー円弧部を前記ウィング体の開閉軸寄りの前記ガイド溝端部に設けてあり、バネ部材によって前記アームを前記ガイドレール側に引き寄せて、前記ロックリングを前記ガイド溝の両側の縁部に当接させ、ウィング体の開放時に前記ロックリングを第２のストッパー円弧部または第１のストッパー円弧部に係合させるようにした二段階停止型ステー装置。
【発明の詳細な説明】
【技術分野】
【０００１】
本発明は、ウィング体の開放位置を２段階で選択することができる２段階停止型ステー装置に関するものである。
【背景技術】
【０００２】
特許文献１に示すように従来の２段階停止型ステー装置は、固定枠体に固着され、左右方向に長いガイドスロットを形成した固定ベース板と、前記ガイドスロットに移動可能に挿入された支点ピンを介して基端部が前記固定ベース板に連結されたアーム板と、前記アーム板の先端部に垂直ピンによって枢着され、ウィング体に固着されるブラケット板と、ウィング体の垂直枢軸に近い方の固定ベース板の末端部分に固着された左右方向に長い板バネとからなり、前記支点ピンの頭部が係脱する第一係止凹部と第二係止凹部を前記板バネに形成したものである。
【０００３】
このステー装置では、ウィング体を完全に閉鎖した状態では、前記アーム板は前記固定ベース板の長さ方向に整列し、これにほぼ全長を重ね合わせた位置にある。この閉鎖状態では、前記支点ピンは前記板バネの下面側から脱出して、前記ガイドスロットの右端部、すなわち、ウィング体の前記垂直枢軸から最も離れた位置にある。
【０００４】
ウィング体を開放するとき、前記支点ピンは前記ガイドスロット内を左側に移動する。そして、前記支点ピンの頭部がウィング体の前記垂直枢軸より遠い方の前記第二係止凹部に係合したとき、ウィング体は第１段目の角度位置まで開放され、この開放位置に停止保持される。前記第二係止凹部を脱出した前記支点ピンが更に左側に移動して前記垂直枢軸に近い方の前記第一係止凹部に係合したとき、ウィング体は第２段目の広い角度位置まで開放され、この開放位置に停止保持される。
【０００５】
このステー装置では、前記板バネの第一係止凹部、第二係止凹部と前記支点ピンの頭部との弾性係合によってウィング体が第１段目、第２段目の開放位置に保持されるものであるため、屋外設置の機器などに適用した場合、風に煽られてウィング体に開放または閉鎖方向の外力が付加されたとき、前記係合が無意図的に解除される危険性があるため、安定的保持性能の点で難点がある。
【先行技術文献】
【特許文献】
【０００６】
【特許文献１】特開２０００−８０８４５号公報
【発明の概要】
【発明が解決しようとする課題】
【０００７】
本発明の課題は、風に煽られてもウィング体の停止保持が安定的に行えるとともに、ウィング体を閉鎖するときには、ウィング体が途中で停止保持されることなく、ワンタッチで一気に閉鎖位置に駆動される二段階停止型ステーを提供することである。
【課題を解決するための手段】
【０００８】
本発明の二段階停止型ステー装置は、ウィング体に固定されるガイドレールと、基端部が固定枠体に枢着されるアームと、前記アームの先端部に設けられ、前記ガイドレールのガイド溝に嵌められる可動ピンと、前記可動ピンに嵌められ、前記ガイド溝の溝幅寸法よりも外周直径が大きいロックリングとからなり、前記ガイドレールには、前記ガイド溝の一側縁部の内面が接線となるように中心が溝中心線上より偏位して、ガイド溝の他側縁部を一部切り欠くように形成された第１のストッパー円弧部を前記ガイド溝の途中に設けてあるとともに、中心が溝中心線上に在る第２のストッパー円弧部を前記ウィング体の開閉軸寄りの前記ガイド溝端部に設けてあり、バネ部材によって前記アームを前記ガイドレール側に引き寄せて、前記ロックリングを前記ガイド溝の両側の縁部に当接させ、ウィング体の開放時に前記ロックリングを第１のストッパー円弧部または第２のストッパー円弧部に係合させるようにしたものである。
【発明の効果】
【０００９】
本発明の二段階停止型ステー装置では、ウィング体を開放するためにウィング体を手前に引き、開放方向に回転させると、図４に示したようにガイド溝の他側縁部の内面が可動ピンを押すことになる。他方、ウィング体を閉鎖するためにウィング体を固定枠体に向けて押し、閉鎖方向に回転させると、図９に示したようにガイド溝の一側縁部の内面が可動ピンを押すことになる。
【００１０】
このようにウィング体の開放駆動時には、ガイド溝の他側縁部の内面が可動ピンを押しているため、ウィング体の開放に伴い可動ピンが第１のストッパー円弧部の位置まで移動してきたとき、図５、図６に示したように可動ピンは自動的に第１のストッパー円弧部に係合する。これによって、ウィング体は第１段目の開放位置に停止保持される。
ウィング体をより大きく開放するためにウィング体を更に引くと、可動ピンは自動的に第１のストッパー円弧部から押し出され、以後のウィング体の開放回転中もガイド溝の他側縁部の内面が可動ピンを押し、図７、図８に示したように最後に可動ピンが第２のストッパー円弧部に係合することによって、ウィング体は第２段目の開放位置に停止保持される。
【００１１】
ウィング体を閉鎖駆動するときには、図９に示したようにガイド溝の一側縁部の内面が可動ピンを押し続けるため、ガイド溝の途中にある第１のストッパー円弧部の位置に移動して来ても、可動ピンが第１のストッパー円弧部に係合することがない。
すなわち、ウィング体は途中で停止保持されることなく、ワンタッチで一気に図１に示した閉鎖位置に駆動されるのであり、ウィング体の閉鎖時の操作が簡便になされる。
また、ウィング体の第１段目、第２段目の停止保持は、ロックリングが第１、第２のストッパー円弧部に係合することによってなされるため、屋外設置の機器に使用されてウィング体が風に煽られても、前記停止保持機能が減殺することはなく、安定性に優れる。
【図面の簡単な説明】
【００１２】
【図１】図１は本発明の一実施例に係る二段階停止型ステー装置の平面図であり、ウィング体は閉鎖状態にある。
【図２】図２は図１のステー装置の右側面図である。
【図３】図３は図１のＡ−Ａ線断面図である。
【図４】図４は図１のステー装置を装備したウィング体が開放駆動されるとき、ガイド溝の他側縁部の内面が可動ピンを押している状態を示す要部水平断面図である。
【図５】図５は図１のステー装置を装備したウィング体が開放途中で停止した状態を示す平面図である。
【図６】図６は図５に示した途中停止時におけるロックリングと第１のストッパー係合部との係合状態を示す要部水平断面図である。
【図７】図７は図１のステー装置を装備したウィング体が最終開放位置において停止した状態を示す平面図である。
【図８】図８は図７に示した最終停止位置におけるロックリングと第２のストッパー円弧部との係合状態を示す要部水平断面図である。
【図９】図９は図１のステー装置を装備したウィング体が閉鎖駆動されるとき、ガイド溝の一側縁部の内面が可動ピンを押している状態を示す要部水平断面図である。
【図１０】図１０は図１のステー装置におけるガイドレールの拡大平面図である。
【実施例】
【００１３】
図示の実施例では、横長のガイドレール１はウィング体２の裏面に当接され、左右両端部をビスなどの固着具によってウィング体２に固着される。ウィング体２の開閉軸３は、ウィング体２をボックス本体などの固定枠体４に連結しているヒンジ５のヒンジピンである。ガイドレール１には、長手方向にガイド溝６を形成してあり、ガイド溝６の途中に第１のストッパー円弧部７が設けられ、ガイド溝６の開閉軸３よりの端部に第２のストッパー円弧部８が設けられている。
【００１４】
図１０に示したように、第１のストッパー円弧部７は、中心を溝中心線上より偏位（偏位量ｄ）させてガイド溝６に重ねるように形成されたものであり、ガイド溝６の一側縁部９の内面９ａは第１のストッパー円弧部７の仮想円に対する接線となっている。ガイド溝６の他側縁部１０の一部は、溝中心線からの中心の偏位相当分だけ切り欠きされている。第１のストッパー円弧部７の直径と第２のストッパー円弧部８の直径は同等になっている。
ガイド溝６の溝幅とは、一側縁部９の内面９ａと他側縁部１０の内面１０ａ間の距離のことである。溝中心線とは、この溝幅の中間点に引いた直線のことである。
【００１５】
ベルクランク状に若干屈曲したアーム１１は、開閉軸３寄りの基端部を枢軸ピン１２と支持金具１３によって固定枠体４の側壁内面に枢着されている。支持金具１３は、ビス等の固着具によって固定枠体４に固着されている。アーム１１の先端部に設けられた可動ピン１４は、ガイドレール１のガイド溝６に嵌められ、ウィング体１の開閉動作に追随してガイド溝６に沿って移動する。可動ピン１４の小径軸部１４ａに嵌合されたロックリング１５の外周直径は、ガイド溝６の溝幅寸法よりも大きく設定されており、ロックリング１５の一方の端面がガイド溝６の両側の縁部９，１０に当接するようになっている。
【００１６】
図３に示したように、ガイド溝６内を往復移動する可動ピン１４の中径部１４ｂには、
ガイド溝６を抜け出た部分にバネ受けリング１６が嵌合されている。バネ受けリング１６は、ロックリング１５とは反対側において、ガイド溝６の両側の縁部９，１０に当接している。可動ピン１４の大径部１４ｃには圧縮コイルバネよりなるバネ部材１７が嵌合されている。
【００１７】
可動ピン１４の鍔部１４ｄとバネ受けリング１６との間に圧縮されたバネ部材１７は、アーム１１をガイドレール１側に引き寄せて、ロックリング１５をガイド溝６の両側の縁部９，１０に引き付けている。そのため、可動ピン１４が第１のストッパー円弧部７または第２のストッパー円弧部８の位置まで移動したとき、ロックリング１５が瞬時にこれらストッパー円弧部７，８に係合する。
ロックリング１５の外周直径は、第１、第２のストッパー円弧部７，８の内周直径にほぼ同等である。
【００１８】
図４に示したように、ウィング体２を開放操作したとき、可動ピン１４は、ガイド溝６の他側縁部１０の内面１０ａによって点Ｐにおいて押される。
また、図９に示したように、ウィング体２を閉鎖操作したとき、可動ピン１４は、ガイド溝６の一側縁部９の内面９ａによって点Ｐにおいて押される。
第１段目または第２段目の停止保持の解除は、作業員が指先や靴先で可動ピン１４を押し、ロックリング１５をストッパー円弧部７，８から押し出すことによって解除される。
本発明のステー装置が適用されるウィング体には、垂直な開閉軸を中心に開閉回転する扉や蓋体と、水平な開閉軸を中心に開閉回転する上開き式の扉や蓋がある。
ウィング体２の開放時の停止保持角度は、開閉軸３と枢軸ピン１２の位置及び第１、第２のストッパー円弧部７，８の位置を変更することによって、任意に変更することができる。
【符号の説明】
【００１９】
１    ガイドレール
２    ウィング体
３    ウィング体の開閉軸
４    固定枠体
５    ヒンジ
６    ガイドレールのガイド溝
７    ガイド溝の第１のストッパー円弧部
８    ガイド溝の第２のストッパー円弧部
９    ガイド溝の一側縁部
９ａ  一側縁部の内面
１０  ガイド溝の他側縁部
１０ａ  他側縁部の内面
１１  アーム
１２  アームの枢軸ピン
１３  アームの支持金具
１４  可動ピン
１５  ロックリング
１６  バネ受けリング
１７  バネ部材
ｄ    第１のストッパー円弧部の中心とガイド溝の中心との偏位量
Ｐ    可動ピンとガイド溝の縁部内面との当接点
【図１】
2010265706.tif 000003
【図２】
2010265706.tif 000004
【図３】
2010265706.tif 000005
【図４】
2010265706.tif 000006
【図５】
2010265706.tif 000007
【図６】
2010265706.tif 000008
【図７】
2010265706.tif 000009
【図８】
2010265706.tif 000010
【図９】
2010265706.tif 000011
【図１０】
2010265706.tif 000012